Podtech/llm-jp-corpus-v4-ja_patent huggingface dataset:
(57)【要約】【課題】  色々な形の袖に対応でき、取りつけ取り外しが簡単で、蒸れて肌にまとわりつくおそれがないアームカバーを提供する。【解決手段】  乳首にはめて手首とその近傍を被覆するカバーであって、撥水性のある筒形のシート（１）の一端部をゴム紐（２）で絞った、形状となっていることを特徴とするアームカバー。【選択図】図１
0003123318.tif 000002
【実用新案登録請求の範囲】
【請求項１】
手首にはめて手首とその近傍を被覆するカバーであって、撥水性のある筒形のシートの、一端部をゴム紐で絞った、形状と、なっていることを特徴とするアームカバー。
【考案の詳細な説明】
【技術分野】
【０００１】  本考案は、炊事、洗面、水周りや庭木の手入れをする時、その他袖口の汚れや袖口が気になる作業に、両腕にはめて作業を行い易くするアームカバーに関するものである。
【背景技術】
【０００２】  従来、この種のカバーとしては、筒状で上腕部と袖口部に細いゴム紐を通した薄い生地のものや、ゴム手袋の上部が筒状のゴム入りカバーとなっているものが知られている。
【考案の開示】
【考案が解決しようとする課題】
【０００３】  しかし、これらは次のような欠点があった。
（１）筒状で上下腕部にゴムが入っているものは、袖幅が細いので色々な形の袖に対応できなかったり、上腕部のゴムで袖がシワになったりゴム痕が付く。
（２）従来のゴム手袋と一緒のカバーは取りつけ取り外しが面倒である。
（３）従来の筒状で細いカバーは、着用したとき窮屈であり、半袖の時は上部にゴムが付いているので蒸れて肌にまとわりつく。
この考案は、これらの欠点を取り除くためになされたものである。
【課題を解決するための手段】
【０００４】  本考案が提供するアームカバーは、手首にはめるカバーであって、撥水性のある筒形の生地の一端部をゴム紐で絞った形状となっていることを特徴とするものである。
【考案の効果】
【０００５】  手首がゴムで絞られているので、着用したとき、直接水等の進入を防ぐことができる。
手首回りだけをカバーするので、腕への負担が軽くなる。上部がラッパ状になるため、いろいろ形の袖口に対応できる。撥水性のある厚手の生地を使用することにより、型崩れせず、文が短いために腕の曲げ伸ばしが自由である。単独又はゴム手袋の延長として組み合わせて使用できるので、便利である。
【考案の実施するための最良の形態】
【０００６】  以下、本考案を実施するための最良の形態を実施例によって説明する。
【実施例】
【０００７】  実施例のアームカバーは、図１に示すように、撥水性又は、防水性のある厚手のビニール素材を使用した、筒状本体（１）の一端部に８ｍｍ幅のゴム紐（２）を入れて絞って、ラッパ状に形状したものである。【０００８】  ゴム紐により絞りの強さは、個人で自由に調整できる。色柄やサイズを考慮し、男性用、幼児、児童用もできる。着用時には、アームカバーの他端部側から手を入れゴム紐部分を手首に止める。
【図面の簡単な説明】
【図１】実施例のアームカバーの斜視図
【符号の説明】
１．筒状本体
２．ゴム紐
【図１】
0003123318.tif 000003
(57)【要約】      （修正有）【課題】競馬・競艇・競輪・オートレースの投票券・マークカード・銀行通帳・鉛筆を１コのケースに整理・収納できるようにローコストで作る。【解決手段】ＰＰ材質のマークカード専用サイズのファイルにマークカード・銀行通帳を挟んで入れ、ファイルの外側片面に投票券用ポケットを２コ・専用鉛筆用ポケットを１コ付ける事により、整理・収納できローコストで出来る。【選択図】図１
0003123312.tif 000002
【実用新案登録請求の範囲】
【請求項１】
投票券購入用マークカード・電話投票用銀行通帳を挟んで入れるＰＰ材質の専用ファイルの外側に、投票券用ポケット２コ・専用鉛筆用ポケットを設けて整理・収納しローコストで出来る事を特徴とする、競馬・競艇・競輪・オートレース用投票券・マークカードケース
【考案の詳細な説明】
〔考案の詳細の設明〕
【考案が解決しようとする課題】
【０００１】従来は投票券・マークカード・銀行通帳等を整理・収納する使い易くローコストで出来る専用ケースがなかった。
【課題を解決するための手段】
【０００２】ＰＰ材質のマークカード専用サイズのファイルにマークカード・銀行通帳等を挟んで入れファイルの外側片面に投票券用ポケットを２コ・専用鉛筆用ポケットを１コ付けるにより、整理・収納できローコストで出来る。
【考案の効果】
【０００３】マークカード・投票券・銀行通帳・専用鉛筆をファイルと専用ポケットに整理・収納する事により使い易く、ＰＰ材質でローコストで出来、携帯時に便利でケースがファショナブルなのでギャンブルというイメージを和らげ、新規顧客獲得・会員サービスの拡充・リピートの促進で競馬・競艇・競輪・オートレースの売上を拡大する事ができる。
【図面の簡単な説明】
【０００４】
【図１】投票券・マークカードケースの斜視図である。
【図２】投票券・マークカードケースの背面図である。
【符号の説明】
【０００５】１  マークカード・銀行通帳を入れるファイル
２  投票券を入れるポケット
３  マークカード専用鉛筆を入れるポケット
【図１】
0003123312.tif 000003
【図２】
0003123312.tif 000004
(57)【要約】      （修正有）【課題】スプリングを基礎と土台の間に家屋の規模に応じて適合したスプリングを装置し震動を防ぐ又柱と梁の間にスプリングを設置し震動を防ぐ。【解決手段】家屋の規模によりこれに適応するスプリング（ハ）の伸縮部を基礎（イ）と柱の間に乗せる様ににしその先端をボルトに切り、土台（ロ）に穴をあけ、ワッシャー（ニ）、ナット（ヘ）にて固定する。【選択図】図１
0003116956.tif 000002
【実用新案登録請求の範囲】
【請求項１】
地震等の災害時基礎コンクリ−トと土台の間に家屋の規模に応じ適当大のスプリングを装置し振動を防ぐか又は微振動とする事が出来る。
【請求項２】
前記スプリングは家屋内の梁と柱の上部に装置しスプリングの伸縮性により振動を緩和し建物の梁と柱の離脱を防ぎ又家屋の破壊防止をする事が出来る。
【考案の詳細な説明】
【考案の詳細な説明】
【産業上の利用分野】
本考案は家屋に関するもの全てに利用することが出来るものである。
【背景技術】木造建築にあっては従来の施工方法で建築され一般家屋の耐震施設は皆無であった事が新潟地震で証明されているのが現状である。
【考案が解決しようとする問題点】
本考案は従来からの施工は地震対策がされていない施工主が今後施工する場合この考案はかかる問題点を解決する為になされたものである。
【問題点を解決する手段】
本考案にかかる問題点を解決する為に地震等の災害時基礎コンクリ−トと土台の間に家屋の規模に応じ適当大のスプリングを装置し振動を防ぐか又は微震動とする事並びに家屋内の梁と柱の上部にスプリングを装置しスプリングの伸縮性により震動を緩和し建物の梁と柱の離脱を防ぎ引いては家屋の破壊防止をすることが出来る。
【作用】
本考案は材質がスプリングである為地震に対しての縦揺れ横揺れに伸縮性の効果があり家屋に対しての崩壊を押さえ人的な救済にも効果がある。
【実施例】（Ａ）第１図（平面図）（イ）コンクリ−ト基礎
（ロ）建物の土台
（ハ）スプリング
ニ  スプリングの上部を土台に穴をあけ挿入しナットを安定させるワッシャ−
ホ  スプリングの上部を土台に穴をあけ固定するナット
ヘ  スプリングの上部
ト  スプリングの下部
（Ｂ）第二図（平面図）（Ａ）家屋の柱
（Ｂ）家屋の梁
（Ｃ）スプリング
Ｄ  スプリングを固定する鉄の平板
Ｅ  Ｄを固定する為柱又は梁に穴をあけ固定する鉄棒
Ｆ  Ｅを締めつける為のワッシャ−
Ｇ  Ｅを締めつける為のナット
0003116956.tif 000003
0003116956.tif 000004
0003116956.tif 000005
0003116956.tif 000006
【手続補正書】
【提出日】平成17年4月1日(2005.4.1)
【手続補正１】
【補正対象書類名】実用新案登録請求の範囲
【補正対象項目名】全文
【補正方法】変更
【補正の内容】
【実用新案登録請求の範囲】
【請求項１】
地震等の災害時基礎コンクリートと土台の間に家屋の規模に応じ適当大のスプリングを装置し振動を防ぐか又は微振動とする事が出来る。
【請求項２】
前記スプリングは家屋内の梁と柱の上部に装置しスプリングの伸縮性により振動を緩和し建物の梁と柱の離脱を防ぎ又家屋の破壊防止をする事が出来る。
【手続補正２】
【補正対象書類名】明細書
【補正対象項目名】全文
【補正方法】変更
【補正の内容】
【考案の詳細な説明】
【産業上の利用分野】
本考案は家屋に関するもの全てに利用することが出来るものである。
【背景技術】木造建築にあっては従来の施工方法で建築され一般家屋の耐震施設は皆無でぬった事が新潟地震で証明されているのが現状である。
【考案が解決しようとする問題点】
本考案は従来からの施工は地震対策がされていない施工主が今後施工する場合この考案はかかる問題点を解決する為になされたものである。
【問題点を解決する手段】
本考案にかかる問題点を解決する為に地震等の災害時基礎コンクリートと土台の間に家屋の規模に応じ適当大のスプリングを装置し振動を防ぐか又は微振動とする事並びに家屋内の梁と柱の上部にスプリングを装置しスプリングの伸縮性により振動を緩和し建物の梁と柱の離脱を防ぎ引いては家屋の破壊防止をすることが出来る。
【作用】
本考案は材質がスプリングである為地震に対しての縦揺れ横揺れに伸縮性の効果があり家屋に対しての崩壊を押さえ人的な救済にも効果がある。
【実施例】（Ａ）（図１）（イ）コンクリート基礎
（ロ）建物の土台
（ハ）スプリング
ニ  スプリングの上部を土台に穴をあけ挿入しナットを安定させるワッ                    シャー
ホ  スプリングの上部を土台に穴をあけ固定するナット
ヘ  スプリングの下部
（Ｂ）（図２）（Ａ）家屋の柱
（Ｂ）家屋梁
（Ｃ）スプリング
Ｄ  スプリングを固定する鉄の平板
Ｅ  Ｄを固定為為柱又は梁に穴をあけ固定する鉄棒
Ｆ  Ｅを締めつける為のワッシャー
Ｇ  Ｅを締めつける為のナット
【図面の簡単な説明】
【図１】この考案は第１図実施例であるコンクリート基礎とスプリングによる伸縮性を安定させる取りつけを示す。
【図２】この考案は第２図実施例である家屋の柱と梁にスプリングによる伸縮を安定させる取りつけを示す。
【符号の説明】
（イ）コンクリート基礎
（ロ）建物の土台
（ハ）スプリング
ニ  スプリングの上部を土台に穴をあけ挿入しナットを安定させるワッシャ
ホ  スプリングの上部を土台に穴をあけ固定するナット
ヘ  スプリングの上部
ト  スプリングの下部
（Ａ）家屋の柱
（Ｂ）家屋の梁
（Ｃ）スプリング
Ｄ  スプリングを固定する鉄の平板
Ｅ  Ｄを固定する為柱又は梁に穴をあけ固定する鉄棒
Ｆ  Ｅを締めつける為のワッシャー
Ｇ  Ｅを締めつける為のナット
【手続補正３】
【補正対象書類名】図面
【補正対象項目名】全図
【補正方法】変更
【補正の内容】
【図１】
0003116956.tif 000007
【図２】
0003116956.tif 000008
【手続補正書】
【提出日】平成17年6月21日(2005.6.21)
【手続補正１】
【補正対象書類名】実用新案登録請求の範囲
【補正対象項目名】全文
【補正方法】変更
【補正の内容】
【実用新案登録請求の範囲】
【請求項１】
基礎コンクリ−トと土台の間に家屋の規模に応じ適当大のスプリングを設置した木材家屋の振動防止又は緩和する装置。
【請求項２】
スプリングを家屋内の梁と柱の上部に装置した木材家屋の振動防止又は緩和する装置。
(57)【要約】      （修正有）【課題】電源コネクターをテコ原理を利用し、レバーを付けることによって、電子機器の電源ソケットから簡単に抜き出す。【解決手段】電源コネクター本体には（例えば、コンピュータや電子、電気機器内部のハードディスクやＣＤ−ＲＯＭドライブなどの電源供給用ケーブルのコネクター）固定軸２を設け、テコ原理を利用できる二つのレバーを取付けることによって、このレバー３，４で、電源コネクターをハードディスクなどの電子機器の電源ソケット１などから簡単に抜き出す。【選択図】図４
0003116960.tif 000002
【実用新案登録請求の範囲】
【請求項１】
コンピュータや電子、電気機器などに使用される電源コネクターは片方が電子機器電源ソケットと接合、片方は電線を通して、外形が小さな箱形コネクターになっている。（例えば、コンピュータや電子、電気機器内部のハードディスクやＣＤ−ＲＯＭドライブなどの電源供給用ケーブルのコネクター）。この電源コネクター本体の上に、固定軸を設け、テコ原理を利用できる二つのレバーを取付ける。このレバーで、電源コネクターをハードディスクなどの電子機器の電源ソケットなどから簡単に抜き出せる。
【考案の詳細な説明】
【技術分野】
【０００１】
コンピュータや電子電気機器に接合する電源コネクターに関する
【背景技術】
【０００２】
図１、図２のように、従来の電源コネクターは片方が電子機器電源ソケットと接合、片方は電線を通して、外形が小さな箱形コネクターになっている。（例：コンピュータや電子、電気機器内部のハードディスクやＣＤ−ＲＯＭドライブなどの電源供給用ケーブルのコネクター）。このコネクターにテコ原理を利用するための二つのレバーを取付る。このレバーを使用することにより、コネクターが電子機器電源ソケットから容易に抜き出せる。
【考案の開示】
【考案が解決しようとする課題】
【０００３】
従来のコネクターは以下の欠点がある。
構造上の問題で抜き出すことが場合によって、ある程度の力が必要になることがある。また、場合によってはけがすることもある。特にコンピュータや電子機器などのメンテナンスにとって非常に不便で使用しにくい現状である。本考案着脱レバーはテコ原理を利用することにより、省力且つ安全に取り外すことができる。着脱レバーを従来のＨＤＤ電源コネクターの側面に固定し、従来のコネクターと組み合わせ、より簡単にＨＤＤなどの電源ソケットから抜き出せる。
【課題を解決するための手段】
【０００４】
本考案は従来のコネクター上にテコ原理を利用し、簡単に着脱出来るレバーを付けて、ハードディスクやＣＤ−ＲＯＭなどの電源コネクターを簡単に抜出しすることできる。図１，２が従来のコネクター形状であり、図３，４，５，６，７が本考案のレバーの部品と構造である。本考案はこの従来のコネクターの側面に固定軸を設け、その上にレバーを取り付けて、従来のコネクターと一体となる。使用する際にレバーの部分がＨＤＤ本体に接して、テコ原理を利用し、コネクターが簡単に抜き出せる。
【実施例】
【０００５】
次に本考案について図面を参照して説明する。図１，図２は従来のコネクターで図３、４、５、６、７までは本考案のレバー付コネクターである。この実施例はコンピュータ中で使用されるハードディスクやＣＤ−ＲＯＭドライブなどで電子機器の中の一例に過ぎない。この方法は勿論、他の形状のコネクターにも適用する。
【０００６】
従来のコネクターに着脱レバーを付ける。コンピュータや電子機器には組立やメンテナンスの作業を行う際に電源ケーブルの装着脱が簡単になった。効率アップやけがの防止に役立つ。
【図面の簡単な説明】
【０００７】
【図１】従来のコネクター外観図。
【図２】従来のコネクター外観図。
【図３】本考案のコネクター本体外観図。
【図４】本考案のコネクター全体外観図。
【図５】本考案のコネクター全体外観図。
【図６】本考案の左レバー外観図。
【図７】本考案の右レバー外観図。
【符号の説明】
【０００８】
コネクター本体
左レバー
レバー固定用軸と留具
右レバー
【図１】
0003116960.tif 000003
【図２】
0003116960.tif 000004
【図３】
0003116960.tif 000005
【図４】
0003116960.tif 000006
【図５】
0003116960.tif 000007
【図６】
0003116960.tif 000008
【図７】
0003116960.tif 000009
【手続補正書】
【提出日】平成17年7月26日(2005.7.26)
【手続補正１】
【補正対象書類名】実用新案登録請求の範囲
【補正対象項目名】全文
【補正方法】変更
【補正の内容】
【実用新案登録請求の範囲】
【請求項１】
今までコンピュータや電子、電気機器などに使用される電源コネクターは片方が電子機器電源ソケットと接合し、片方が電線を通して、外形が小さな箱形コネクターである，例えば、コンピュータや電子、電気機器内部のハードディスクやＣＤ−ＲＯＭドライブなどの電源供給用ケーブルのコネクターによく使われる。しかし、この今までのコネクターは構造上の問題で非常に挿し抜きしにくい、この問題を解決する為に、本考案のコネクターはテコ原理を利用し、この今までの箱型電源コネクターに、円柱状の固定軸を設け、その固定軸に二つのレバーを取付ける脱着レバー付きコネクターである。
【手続補正書】
【提出日】平成17年10月4日(2005.10.4)
【手続補正１】
【補正対象書類名】実用新案登録請求の範囲
【補正対象項目名】全文
【補正方法】変更
【補正の内容】
【実用新案登録請求の範囲】
【請求項１】
箱型電源コネクターに、円柱状の固定軸を設け、その固定軸に二つのレバーを取付ける脱着レバー付きコネクター。
(57)【要約】      （修正有）【課題】携帯ストラップの片側にフック等を取り付け、落下・盗難・置き忘れ等を防止する。また、キーホルダー等の複数取り付けを簡単にする。【解決手段】台座部２にストラップ部片側３ａを固定し、ストラップ部のもう一方３ｂにフック等を取り付け脱着可能にし、フック部３ｂを台座部から取り外し、ズボンのベルトループ等に通しフック部３ｂを台座部２に装着することで、落下・盗難・置き忘れ等の防止に役に立つ。また、台座部２はリング等の形にすることで、キーホルダー等のアクセサリーを複数取り付けが容易となる。【選択図】図１
0003116957.tif 000002
【実用新案登録請求の範囲】
【請求項１】
携帯ストラップの片側先端にフック等を装着し、台座部との脱着を可能にした。ストラップの片側を取り外し、ズボンのベルトループ部等に通し台座部に装着することで、落下・盗難・置き忘れ防止等を可能にした携帯ストラップ。
【請求項２】
台座部をリング等の形にすることで、キーホルダー等を複数取り付けることを可能にした携帯ストラップ。
【請求項３】
携帯本体連結部・台座部・ストラップ部にはそれぞれ繊維質・金属類等を用い、キャラクター・写真・模様等をデザインすることで携帯電話のアクセサリーになるもの。
【考案の詳細な説明】
【技術分野】
【０００１】  本考案は、携帯ストラップのストラップ部の片側にフックを設けた携帯ストラップに関するものである。
［技術背景］【０００２】  携帯電話はその使用・不使用を問わず常に落下・盗難・置き忘れ等の危険性をはらんでいる。
［考案の開示］
［考案が解決しようとする課題］【０００３】  携帯電話の使用中は既存の携帯ストラップを手に絡ませることで落下・盗難・置き忘れ等を防ぐことができたが、不使用中は無防備であった。
そこで、ストラップに本考案の機能を付加することで、前述の危険性を解決しようとするものである。
［課題を解決するための手段］【０００４】  本考案は、ストラップを本体連結部・台座部及びストラップ部に分離し、台座部はリング等の形にし、ストラップの片側部は固定する。ストラップ部のもう片側先端にフック等を装着し、台座部との脱着を可能にすることで衣類等にストラップを固定可能となり、問題を解決している。
［考案の効果］【０００５】  上述のように、本考案の携帯ストラップ  フック付きはストラップ部の片側を台座部から脱着可能にしたので、ズボンのベルトループ部・バッグの握り等に携帯電話を固定可能となり、使用中は勿論不使用中も常に固定されているので落下・盗難・置き忘れ等の防止に役に立つ。
［考案を実施するための最良の形態］【０００６】  本体連結部は釣り糸などを使用し、携帯電話本体のストラップ通し穴に装着できるようにし台座部に固定する。台座部はリング等の形で金属性のものをしようする。ストラップ部は落下・盗難・置き忘れ等に発生する衝撃に耐えうる素材、例えばチェーン等を使用し、片側を台座部に固定しもう片側の先端にフックを取り付ける。また素早く携帯電話を使用できるように４０〜６０ｃｍの長さが最良である。
ストラップフック部を脱着し、ズボンのベルトループ等にストラップを通すことが自由自在となる。
［実施例］【０００７】  以下、図面に従って一実施例を説明する。１は携帯電話本体に装着する部位で、携帯ストラップの通し穴に通し台座部２に連結させる。【０００８】  ２は台座部で金属類等の耐久性のあるものを用いる。リング状にしフック部を脱着しやすいようにする。またリング状であるため、アクセサリーを複数装着可能となる。【０００９】  ３はストラップ部で落下に耐えうる耐久性のあるものを用いる。３ａは台座部２に固定し、３のストラップ部を衣類、例えばベルトループ部に通し、フック部３ｂを台座部２に装着する。【００１０】  本考案の実施例は上述の通りの構成であり、ストラップフック部３ｂを脱着可能にすることで、衣類・バッグ等に連結させられるようになる。
【図面の簡単な説明】
【００１１】［図１］本考案の携帯ストラップ  フック付きの一実施例を示す正面図である。
［図２］本考案の使用例である。
【符号の説明】
【００１２】  １    携帯電話本体連結部
２    台座部
３    ストラップ部
３ａ  ストラップ台座部固定部
３ｂ  ストラップフック部
【図１】
0003116957.tif 000003
【図２】
0003116957.tif 000004
【手続補正書】
【提出日】平成17年5月2日(2005.5.2)
【手続補正１】
【補正対象書類名】実用新案登録請求の範囲
【補正対象項目名】全文
【補正方法】変更
【補正の内容】
［書類名］                実用新案登録請求の範囲
［請求項１］
携帯ストラップの片側先端に留め具を装着し、台座部との脱着を可能にした。ストラップの片側を取り外し、ズボンのベルトループ部等に通し台座部に装着することで、落下・盗難・置き忘れ防止等を可能にした携帯ストラップ
［請求項２］
携帯本体連結部・台座部・ストラップ部にはそれぞれ繊維質・金属類等を用い、キャラクター・写真・模様等をデザインすることで携帯電話のアクセサリーになる請求項１記載の携帯ストラップ
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
携帯ストラップの片側先端にフック等を装着し、台座部との脱着を可能にし、ストラップの片側を取り外し、ズボンのベルトループ部等に通し台座部に装着することで、落下・盗難・置き忘れ防止等を可能にした携帯ストラップ。
【請求項２】
携帯本体連結部・台座部・ストラップ部にはそれぞれ繊維質・金属類等を用い、キャラクター・写真・模様等をデザインすることで携帯電話のアクセサリーになる請求項１記載の携帯ストラップ
(57)【要約】      （修正有）【課題】結婚式の引き出物として篆刻のはんこを送る際見映えが良くてウェディングセレモニーにふさわしく、出席者に手渡すのが分かり易い箱を提供する。【解決手段】１はんこを結婚式の招待者の名前で彫る、２はんこを入れる箱をデザインされた桐箱にする、３はんこの送り主からのメッセージを添える、４桐箱の表面にのしをつけ、名前を書く。【選択図】図２
0003116951.tif 000002
【実用新案登録請求の範囲】
【請求項１】
結婚式の引き出物として篆刻のはんこを入れて送る箱
【考案の詳細な説明】
【０００１】本考案は、結婚式の引き出物として、篆刻のはんこを入れて出席者に送る箱である
【背景技術】
【０００２】既成の箱にはんこを入れて、結婚式の引き出物としていた
【考案の開示】
【考案が解決しようとする課題】
【０００３】見栄えが悪く、手渡す時に相手の箱がわかりにくい
【課題を解決するための手段】
【０００４】本考案は、和物の布を桐の化粧箱の上に張り、中に送り主のメッセージを添えて、桐箱のふたにのしをつけて出席者の名前を書いて前述の欠点を解決しようとするものである。
【考案の効果】
【０００５】見栄えが良くなりウエディングセレモニーにふさわしい物になった、また出席者に手渡すのが分かりやすい
【考案を実施するための最良の形態】
【０００６】和物の布を桐の化粧箱の上に張り、中に送り主のメッセージを添えて、桐箱のふたにのしをつけて出席者の名前を書く
【実施例】
【０００７】以下、添付図面に従って一実施例を説明する。１は箱のふたで和物の布が張ってある。２は１ｃｍ幅の半紙に、渡す相手の名前を筆で書く【０００８】３は箱の本体。４ははんこと印泥をつつむ布で品の良い紫か焦げ茶色を使用。
５は３．５ｃｍ幅の半紙に送り主のメッセージを書いて布にかぶせる。
【図面の簡単な説明】
【図１】箱のふたの立面図
【図２】箱の立面図
【図３】箱の中身の平面図
【符号の説明】
１桐箱のふた
２のし
３桐箱
４はんこを包む布
５メッセージ
６印泥
７篆刻のはんこ
８布
【図１】
0003116951.tif 000003
【図２】
0003116951.tif 000004
【図３】
0003116951.tif 000005
【手続補正書】
【提出日】平成16年8月18日(2004.8.18)
【手続補正１】
【補正対象書類名】実用新案登録請求の範囲
【補正対象項目名】全文
【補正方法】変更
【補正の内容】
【実用新案登録請求の範囲】
【請求項１】
表面に化粧布と、のし紙がついた桐箱の中に、篆刻のはんこと、印泥が布で包まれ、メッセージが書かれた半紙が添えてあるギフト用の印鑑セット
(57)【要約】【課題】  排水系統のＰトラップ封水部の防食としては、Ｐトラップ下部の掃除口プラグを新たな陽極付プラグに替えることにより、陽極からの発生電流によりトラップ内面の腐食を完全に防ぐことができる。また亜鉛陽極は２年毎に内部の管内清掃時に新しい陽極付プラグに取り替えにより、Ｐトラップの耐久性を大幅に延命することが出来る。  本プラグはＰトラップ内面の防食用として、陽極付プラグを提供する。【解決手段】  本考案はＰトラップ下部の掃除口のプラグを新たな陽極付プラグに替えることにより、Ｐトラップ内面からの腐食を防止する。【選択図】  図１
0003116954.tif 000002
【実用新案登録請求の範囲】
【請求項１】
排水管のＰトラップ封水部分の防食対策として、電気防食法による流電陽極を封水部の掃除口のプラグに付加させて、封水部内面を防食する陽極付プラグ。
【考案の詳細な説明】
【技術分野】
【０００１】  本考案は、マンションの洗面及び洗濯場からの排水が排水口を通して流れる設備において、排水管の封水部Ｐトラップ管内面を防食するための陽極付プラグに関するものである。
【背景技術】
【０００２】  建築物の洗面や洗濯場からの排水は床排水口からＰトラップ管（封水部）１を通して流れるので、封水部の鋳物製Ｐトラップ管内は常に汚水に浸される腐食環境にある。
Ｐトラップ管１の底部には掃除口プラグ２が取付けられている。このＰトラップ管内面の防錆としては、建設時に鋳物内表面に歴青質エポキシ樹脂塗料などが塗装されている。これらの塗膜は、経年劣化により塗膜の劣化及び内部掃除による傷などの欠陥部に腐食が発生し、このまま放置しておくと、やがてはトラップ内部から腐食して、漏水事故へと発展する恐れがある。
メンテナンスは毎年定期的に管内面の洗浄が行われるが、管内面の腐食が激しい場合には乾燥させて、素地調整後にエポキシ樹脂を再塗装されている。しかし、Ｐトラップ内部は狭いため、十分な除錆ができ得ないままに塗装されるが、十分な防錆効果が得られていない。また、新しいＰトラップに取り替えるなどの回収工事も行われている。
【考案の開示】
【考案が解決しようとする課題】
【０００３】これらの対策には次の問題が挙げられる。
（イ）Ｐトラップ本体を更新するには、床スラブコンクリートのはつり、防水層、タイルなどの床仕上げ材の撤去と復旧作業に多額の工事費と工事日数がかかる。また、階下の天井を壊すなど大工事となる。
（ロ）Ｐトラップ内面の腐食が激しい場合には、応急対策として樹脂塗料による再塗装が行わるが、対象面が狭いので、十分な効果が得られにくい。もしこの段階でも他に完全な防食工法があれば、回収工事を大幅に軽減できる。
（ハ）Ｐトラップ内面の腐食現象は電気化学的腐食電池作用によるもので、一般の鋼構造物等が水中及び土中で起こる腐食現象と同様である。これらの対策には電気防食法が広く利用されている実績から、本対象面に応用することにより防食対策に有効となる。
【問題点を解決するための手段】
【０００４】上記（ハ）の電気防食法が最も防食上有効であることが、他の鋼構造物の適用例から実証されていることから、本対象に対しても陽極の取付方法の検討により、Ｐトラップ内面の防錆が可能となる。
本考案は電気防食法の流電陽極方式を応用したもので、掃除口のプラグと陽極を一体化させて、しかも水の流れに阻害されない陽極形状として、一体化した陽極付プラグにすることで解決できる。取付けには、既存のプラグを外して、陽極付プラグに取り替えることにより、陽極からの防食電流が封水部のＰトラップ内面に供給される。また、この陽極は犠牲となるが、試験の結果は陽極寿命は２年程度である。従って、２年毎に管内洗浄時に新しい陽極付プラグに替えることで、封水部分は永続的に腐食から守られ、経済的な防食が可能にすることができる。
【考案の効果】
【０００５】本考案により以下の効果が得られる。
（１）Ｐトラップ本体と陽極との導通により、陽極から発生電流はＰトラップ内面に供給され、Ｐトラップ管内での腐食を完全に抑えられる。また、Ｐトラップ内面の汚れ、錆び等の堆積物も少なくなり、内部の掃除が大幅に軽減できる。
（２）上記、電気防食の効果により排水トラップ管は腐食から守られ、２年間毎に陽極付プラグに取り替えによって、排水設備全体が大幅な延命となる。
【考案の実施するための最良の形態】
以下、本発明の実施の形態につて説明する。
（イ）洗面や洗濯場の床面に設備してある床排水設備の封水トラップ内面の清掃後に掃除口のプラグ１を外し、陽極付プラグ２をねじ込み締付する。
取付け、取り外し作業はＰトラップ本体が下の階の天井に位置するめ、下の階の住居者の協力により実施することになる。
（ロ）陽極付プラグ２は市販のプラグの凹み部に棒状亜鉛陽極３を導電性樹脂５を介して、接着させて電気的導通性を有したプラグとする。取付けには、既存のプラグを外して、新しい陽極付プラグ２に替える。
【実施例】
【０００６】  １０年経過した排水設備からＰトラップ本体を回収して、防食効果の確認試験を行った。材質はＦＣ−１５０の鋳鉄製で、Ｐトラップの封水部は内径５．０ｃｍ．長さ３５．０ｃｍ、防食面積は５４９．５ｍ２であつた。このＰトラップ封水下部の掃除口プラグ座に亜鉛陽極の露出形状はφ１７ｍｍ×１０ｍｍ、表面積３．８ｃｍ２を絶縁して取付けした。導通は亜鉛と本体を電線で導通させて、両者間の電流測定を可能にした。試験は、Ｐトラップ内部に水道水を毎日１回水の入れ替えを行い、２カ月間連続して内部の電位状況を飽和カロメル基準電極を用いて測定した。
この結果を以下に示す。
（１）亜鉛陽極取付前の電位
電位測定には封水部内面に飽和甘こう基準電極（ＳＣＥ）を用いて測定した。
0003116954.tif 000003
（２）亜鉛陽極取り付け後の電位経過
亜鉛付プラグの取付後の電位状況の２カ月間の電位結果を以下に示す。
0003116954.tif 000004
（３）測定結果は、全て管内面が鉄の防食基準電位−７７０ｍｖ（ＳＣＥ）より卑電位を示し、防食状態は良好であった。また、封水部からの赤水の発生も見られず、防食効果としては良好であることが確認できた。
亜鉛陽極からの発生電流は次第に低下し、初期の０．３８ｍＡが２カ月目で０．１０ｍＡとなり、亜鉛陽極の重量から約２年間以上耐用できる事が確認できた。
【図面の簡単な説明】
【０００７】
【図−１】Ｐトラップに亜鉛陽極付プラグヲ取付けした断面図
【図−２】プラグに亜鉛陽極を接合させた断面図
【符号の説明】
【０００８】    １  Ｐトラップ本体
２  亜鉛陽極付プラグ
３  亜鉛陽極
４  プラグ
５  導電性樹脂塗布
【図１】
0003116954.tif 000005
【図２】
0003116954.tif 000006
【手続補正書】
【提出日】平成16年12月27日(2004.12.27)
【手続補正１】
【補正対象書類名】実用新案登録請求の範囲
【補正対象項目名】全文
【補正方法】変更
【補正の内容】
【実用新案登録請求の範囲】
【請求項１】
排水管に接続された鋳鉄製Ｐ型トラップの掃除口プラグについて、プラグ内面の凹み部分に棒状亜鉛合金陽極を差し込み、プラグとの接触面に導電性樹脂を塗布して、接着と導通をもたせてることを特徴とする陽極付プラグの接続構造。
(57)【要約】      （修正有）【課題】正確な水深の測定ができる。【解決手段】バルサ材を円形に加工し、中心部にウレタンチューブを通した、ヘラブナ釣り用水深測定フロートである。ウレタンチューブにヘラウキのトップを差し込み、水深測定用の粘土オモリを両バリにつけて振り込む。バルサ部分に蝋を塗布することにより、その表面張力から、実際は沈んでしまうはずのヘラウキが一時的に水面に静止する。その後、竿尻を引いて表面張力を開放すると、ウキから水深測定用の粘土オモリまでが真っ直ぐになった状態で水深を測ることができる。【選択図】図１
0003116966.tif 000002
【実用新案登録請求の範囲】
【請求項１】
バルサ材を円形に加工し、中心部にウレタンチューブを通した、ヘラブナ釣り用水深測定フロートである。
ウレタンチューブにヘラウキのトップを差し込み、水深測定用の粘土オモリを両バリにつけて振り込む。バルサ部分に蝋を塗布することにより、その表面張力から、実際は沈んでしまうはずのヘラウキが一時的に水面に静止する。その後、竿尻を引いて表面張力を開放すると、道糸がウキからオモリまで真っ直ぐになった状態で水深を測ることができる。
正確な水深を測定することが可能となることを特徴とした、ヘラブナ釣り用水深測定フロート。
【考案の詳細な説明】
【技術分野】本考案は、ヘラブナ釣りにおける水深の計測を容易にするための用具考案に関する。
【背景技術】
【０００１】  ヘラブナ釣りにおける底釣りでは、正確な水深の測定、俗に言う「底立て」が重要になる。真冬の底釣りではｍｍ単位でズラシ幅を設定していくなど、シビアな水深の測定が要求される。【０００２】  関東の管理釣り場では、竿先からウキまでの距離が短い、いわゆる「チョーチン」のタナで底釣りができる管理釣り場が多く存在するが、関西や、野池を主な釣り場とする九州では、竿先からウキまでかなり距離がある状況で底釣りを行うことが多い。【０００３】  竿先からウキまでかなり距離がある状況で水深を測ると、ウキから水深測定用の粘土オモリまで、ミチイトが斜めになってしまうことが多く、正確な水深を測ることが難しい。【０００４】  このミチイトが斜めになってしまう問題に対応するためのフロートは種々提案されている。【０００５】  その１例として、ヘラウキのボディに発砲スチロールを装着し、浮力を増すことにより、少しでもウキ下を垂直にして、正確に水深を測定しようとするものが市販されている。
【考案の開示】
【考案が解決しようとする課題】
【０００６】  しかしながら、この提案は単にヘラウキの浮力を増すだけで、ウキ下を垂直にして水深を測ることができるという問題を解決していない。
【課題を解決するための手段】
【０００７】  上記ウキ下が斜めになってしまう問題を解決するために、表面張力を利用したフロートを提案する。【０００８】  具体的には、バルサ材を円形に加工し、中心部にウレタンチューブを通した、ヘラブナ釣り用水深測定フロートである。バルサ部分に蝋を塗布する。ウレタンチューブにヘラウキのトップを差し込み、水深測定用の粘土オモリを両バリにつけて振り込む。バルサ部分に蝋を塗布することにより、その表面張力から、実際は沈んでしまうはずのヘラウキが一時的に水面に静止する。その後、竿尻を引いて表面張力を開放すると、ウキから水深測定用の粘土オモリまでが真っ直ぐになった状態で水深を測ることができる。
【考案の効果】
【０００９】  このように、表面張力を利用したフロートを使った水深の測定は、従来の単に浮力を増すだけのフロートと違い、ウキから水深測定用の粘土オモリまで、垂直に道糸が張った真っ直ぐな状態で水深を測定することができる。この方法を用いると、トップの目盛り単位で正確に水深を測ることができる。また、ヘドロがある場合でも、止まってからズルズル沈んでいくので、容易に判断がつく。
この方法の弱点は、風が強く水面が波立つ場合には、使用できない点である。
【考案の実施するための最良の形態】
【００１０】  バルサ材を円形に加工し、中心部にウレタンチューブを通したシンプルなものであるが、今後研究が進めば、バルサ材以上の適した素材が見出させる可能性は大きい。
【実施例】
【００１１】  バルサ部分に蝋を塗布する。ウレタンチューブにヘラウキのトップを差し込み、水深測定用の粘土オモリを両バリにつけて振り込む。バルサ部分に蝋を塗布することにより、その表面張力から、実際は沈んでしまうはずのヘラウキが一時的に水面に静止する。その後、竿尻を引いて表面張力を開放すると、ウキから水深測定用の粘土オモリまでが真っ直ぐになった状態で水深を測ることができる。
【図面の簡単な説明】
【００１２】
【図１】本考案フロートの正面図
【図２】本考案フロートの使用時の説明図
【図１】
0003116966.tif 000003
【図２−２】
0003116966.tif 000004
【図２−１】
0003116966.tif 000005
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
・バルサ材を円形に加工し、中心部にウレタンチューブを通した、ヘラブナ釣り用水深測定フロート
【手続補正２】
【補正対象書類名】明細書
【補正対象項目名】００１２
【補正方法】変更
【補正の内容】
【００１２】
【図１】  本考案ヘラブナ釣り用水深測定フロートの斜視図
【図２−１】  本考案フロートの使用時の説明図１
【図２−２】  本考案フロートの使用時の説明図２
【符号の説明】
・  １：ウレタンチューブ
・  ２：バルサ材
・  ３：ヘラウキ
・  ４：道糸
・  ５：オモリ
・  ６：ヘラブナ釣り用水深測定フロート
(57)【要約】      （修正有）【課題】エネルギー（気）を、いかに合理的に、効果的に、かつ安価に取り込み（集め）反応させ、そこから発生する効用（体質改善、細胞の活性化、身体治癒）をより多くの人々が日常的に利用してもらうための方法を具現化することにある。【解決手段】陶磁器の焼成手法である“つり焼き”で、表裏の両面釉薬仕上げで焼成された六芒星の形をした白磁セラミックの両面に、金もしくはプラチナ転写を焼き付けた陶板（セラミックヘッド）を作成する。金、プラチナは絶縁体のセラミックの上に転写されているので、宇宙エネルギー（気）は、その六芒星の形を認識しやすく反応が高い。両面釉薬仕上げなので、肌に優しく、長時間身体につけていても抵抗感がなく、装身具としても日常的に利用できる。【選択図】図１
0003116969.tif 000002
【実用新案登録請求の範囲】
【請求項１】
六芒星の形をした白磁セラミックに六芒星の図形が金もしくはプラチナで転写焼付けされている。
【請求項２】
六芒星の白磁セラミックは、陶磁器の焼成手法のつり焼きという技術で表裏の両面が釉薬仕上げになっており、その両面に六芒星図形が金もしくはプラチナで転写焼付けされている。ネックレスなどの装身具、身体治癒物として、直接肌に触れても不快感がなく、水分、ほこり等汚れに強く、長期間清潔に使用できる点。
【請求項３】
絶縁体である白磁セラミックのベースの上に金もしくはプラチナが転写焼き付けられているので、絶縁体と良導体の対比によってその六芒星の形状を際立たせ、天然エネルギー（気）がその形状を認識しやすく、効果的にその形状に反応することによる体質改善、身体治癒。
【考案の詳細な説明】
【技術分野】
【０００１】宇宙、大気中に存在する天然エネルギー（気）を六芒星（ヒランヤ）の金もしくはプラチナの金属膜の形状に効果的に集め、反応させて体質改善、細胞の活性化、身体治癒に利用。
【背景技術】
【０００２】陶磁器の焼成技術である、生地に穴をあけて焼成する“つり焼き”という手法で、表裏の両面釉薬をつけて生地焼成し、両面に金、プラチナの六芒星の形状も転写焼成。
【考案が解決しようとする課題の前提条件】
【０００３】宇宙には無限の天然エネルギー（気）が存在し、地球上にふりそそがれている。
【０００４】二つの三角形が組み合わさった六芒星（ヒランヤ）の形は、古代ヘブライの時代から存在し、その形には、ピラミッドパワーなどと呼ばれて宇宙のエネルギーを取り込む力があるとされている。
【考案が解決しようとする課題】
【０００５】本課題は、
【０００３】
【０００４】の条件を肯定した上で、宇宙、大気中に存在する天然エネルギー（気）を金もしくはプラチナの六芒星の形状に、いかに合理的に、効果的に集め反応させるかということと、そして、それを安価に制作することによって、より多くの人々に日常的に利用してもらえるかということである。
【課題を解決するための手段】
【０００６】六芒星（ヒランヤ）の形に、宇宙、大気中の天然エネルギー（気）は集まるといわれ、特に金もしくはプラチナなどの伝導性の高い金属でできた六芒星の形状に、極めて高い反応を示す。その六芒星の形状を金もしくはプラチナで際立たせ、より効果的な反応を得るためには、その回りが絶縁体であることが最良だと考えられる。白磁セラミックの上に、金もしくはプラチナを転写焼き付けることにより上記の課題
【０００５】をセラミック焼成の方法で比較的安価に解決。
【０００７】当然、上記の手法ででき上がったセラミックヘッド（図１参照）はできるだけ身体に近い所、もしくは直接あたったほうが効果があるので、肌に優しく、抵抗感のないものがふさわしい。上記の
【０００２】の両面釉薬仕上げの焼成手法によって解決。そして汚れ、水分、ほこりに強く、長期的に使用できる。特にネックレスなどの装身具としても長時間抵抗なく身体に付けることもできる。
【考案の効果】
【０００８】図（３）に示されているように体に装着すれば、効果的に宇宙に存在する天然エネルギー（気）を取り込み、体質改善、細胞の活性化、身体治癒に役立つ。
【０００９】図（２）の斜傾図に示されているように、チェーン、革紐を穴に通して装着すれば、ネックレス、チョーカー、携帯ストラップなどの装身具として日常身に着けることができる。
【考案を実施するための最良の形態】
【００１０】本体の白磁セラミックヘッドは、金もしくはプラチナで転写焼付けされる六芒星の形に沿った六芒星の形状でできており、装身具のデザインとしてもユニークである。先端近くにつり下げるための穴があいており、そこにチェーン、革紐、ゴム等を通し、装身具として日常的に身につけることができる。
【実施例】
【００１１】本商品を人体に使用して体質改善、変化を認められたものは以下の通りである。
１）不眠症の改善。
２）局部的、皮膚表面的な神経痛けいれんが解消。
３）フケがなくなる。軽度のアレルギー症状の改善。
４）血行が良くなり、肌が活性化され、つやが出る。
５）身体を自然な状態に整える作用。【００１２】その他の現象としては、水道水に本商品を入れて飲むと、明らかに水の性質が変わり、味が違う。
【産業上の利用可能性】
【００１３】日常的に使用することにより、細胞の活性化を促し、神経痛、アレルギー、不眠症等の予防、改善、解消、治癒。【００１４】水の成分の活性化、動物植物の細胞の活性化にも効果があるので、生鮮食料品などの鮮度を保全するのにも役立つ。特にセラミックがベースなので水まわりに強く、長期的に繰り返し使用できる。
【図面の簡単な説明】
【００１５】
【図１】商品図面
【図２】装身具としての場合の商品見取図
【図３】天然エネルギーを取り込む状況のイメージ図
【符号の説明】
【００１６】
【図１】
Ａ  つり焼きのためのつり下げの穴
Ｂ  白磁セラミック本体
Ｃ  六芒星形状の金もしくはプラチナ転写（両面）
Ｄ  両面釉薬仕上げ
【図１】
0003116969.tif 000003
【図２】
0003116969.tif 000004
【図３】
0003116969.tif 000005
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
六芒星の形をした白磁セラミックの一部に穴をあけて、陶磁器焼成手法のつり焼きという技術で表裏両面が釉薬仕上げになるように焼成して、そしてその両面に相似形の六芒星の図形を金もしくはプラチナで転写絵付けされた装身具。
【請求項２】
両面が釉薬仕上げで焼成されているという長所を生かした、直接肌にふれても不快感のない、ネックレス及び身体治癒物としての請求項１に記載された装身具。
【請求項３】
絶縁体である六芒星の形をしたセラミック板の上に、良導体である金もしくはプラチナが転写焼付けされているので、その対比により六芒星の形状を際立たせることになり、天然エネルギー（気）がその形状を認識しやすくなるので、効果的にその形状に天然エネルギー（気）を集めることができる身体治癒物としての請求項１に記載された装身具。
(57)【要約】      （修正有）【課題】ヘマタイト母材に二酸化チタン（光触媒）粉末をコーテイングして、光触媒の効果をもたらすネックレス、ブレスレット等のアクセサリーを製品化して提供する事を目的とする。【解決手段】ヘマタイトの表面に二酸化チタン（光触媒）粉末を高速噴射することによってバインダー不要で密着硬度の高い薄膜が形成される、その薄膜が形成された複数の製品を連結ワイヤーで繋ぎ、留め金を取り付けネックレスやブレスレットに製品化する。【選択図】図１
0003116965.tif 000002
【実用新案登録請求の範囲】
【請求項１】
球状に加工されたヘマテイト（赤鉄鉱）の表面に二酸化チタン（光触媒）薄膜をコーテイングしたもので、ネックレス及びブレスレットの製品化したものである。
【請求項２】
ヘマタイトの形状は球状に限らず、種々形状に及ぶ。
【請求項３】
二酸化チタン（光触媒）をコーテイングするアクセサリーの素材はヘマタイトに限らず、ステンレス等に及ぶ。
【考案の詳細な説明】
【技術分野】
【０００１】この考案はヘマタイト及びステンレス製のアクセサリーの表面に酸化チタン（光触媒）粉末を高速噴射して薄膜を形成して、光触媒効果を求めたものである。
【背景技術】
【０００２】多種、多様なネックレス及びブレスレット等のアクセサリーは既存、普及しているも、酸化チタン（光触媒）加工された製品は無い。
【考案の開示】
【考案が解決しようとする課題】
【０００３】本考案は二酸化チタン（光触媒）の効果すなわち、血管が拡張されて血流がよくなり、疲労回復を促進し、肩こりや自律神経が沈静化、緩和することをもたらす、ネックレス、ブレスレット等のアクセサリーを提供することを目的とする。
【課題を解決するための手段】
【０００４】ヘマタイト素材の表面に二酸化チタン（光触媒）の粉末を高速噴射する事によって、バインダー不要で密着強度の高い薄膜が形成される、その薄膜が形成された複数の製品を連結ワイヤーで繋ぎ、留め金を取り付けネックレス及びブレスレットに製品化する。
【考案の効果】
【０００５】ネックレス及びブレスレットにコーテイングされた二酸化チタン（光触媒）の薄膜は母材内部に入るにつれて、酸素が少しずつ欠乏気味となります、このような酸素欠乏傾斜構造が、紫外線以外のエネルギーにも励起して、消臭、抗菌、還元、体質改善の健康補助器具的効果をもたらす。
【考案を実施するための最良の形態】
【０００６】本考案を模式図でしめすと、
図１−１の母材のヘマタイトの表面に、図１−２の二酸化チタン（光触媒）粉末を高速噴射すると密着強度の高い３ミクロン程度の薄膜が形成されます二酸化チタン（光触媒）粉末の薄膜で形成された種々形状のヘマタイトを連結してネックレスやブレスレットのアクセサリーに加工したものである。
【図面の簡単な説明】
【０００７】
【図１】二酸化チタン（光触媒）粉末の薄膜が形成されたヘマタイト母材の球状体の断面図である。
【図２】二酸化チタン（光触媒）粉末の薄膜が形成されたヘマタイト母材の楕円体の断面図である。
【図３】二酸化チタン（光触媒）粉末の薄膜が形成されたヘマタイトの球状対を連結して製品化した模写図である。
【符号の説明】
【図１】
１−球状体母材ヘマタイト
２−二酸化チタン粉末
３−二酸化チタン粉末３ミクロン厚み
【図２】
１−楕円体母材ヘマタイト
２−二酸化チタン粉末
３−二酸化チタン３ミクロン厚み
【図３】
１−球状ヘマタイト連結体
２−留め金
【図１】
0003116965.tif 000003
【図２】
0003116965.tif 000004
【図３】
0003116965.tif 000005
【手続補正書】
【提出日】平成17年8月18日(2005.8.18)
【手続補正１】
【補正対象書類名】明細書
【補正対象項目名】全文
【補正方法】変更
【補正の内容】
【考案の詳細な説明】
【考案の詳細な説明】
【０００１】
【考案の技術分野】
この考案はヘマタイト（赤鉄鉱）又はステンレスの表面に酸化チタン粉末を高速噴射して薄膜を形成し光触媒作用による健康増進効果のあるアクセサリーを提供するものである。
【０００２】
【考案の背景技術】
健康効果の高い二酸化チタンによる光触媒作用を利用したネックレス・ブレスレット等のアクセサリーが望まれていたが、そのような製品は無かった。
【考案の開示】
【考案が解決しようとする課題】
【０００３】本考案は二酸化チタンによる光触媒効果すなわち、血管が拡張し血流がよくなり、疲労回復を促進し、自律神経が沈静化、緩和することをもたらす、アクセサリーを提供することを目的とする。【０００４】
【課題を解決するための手段】ヘマタイト又はステンレス素材の表面に二酸化チタンの粉末を高速噴射する事によって、バインダー不要で密着強度の高い３ミクロン程度の薄膜が形成される。その薄膜が形成された複数の単品を連結ワイヤーで繋ぎ、留め金具を取り付けネックレス又はブレスレット等に製品化する。【０００５】
【考案の効果】ネックレス又はブレスレットにコーティングされた二酸化チタンの薄膜は母材内部に入るにつれて、酸素が少しずつ欠乏気味となります、このような酸素欠乏傾斜構造が、紫外線以外のエネルギーにも励起して、消臭、抗菌、浄化ができ、休みなく活動しつづける画期的なアクセサリーです。【０００６】
【考案を実施するための最良の形態】本考案の二酸化チタンをコーティングしたネックレス又はブレスレットを直接身に付けることにより、より一層健康効果が増強される。【０００７】
【図面の簡単な説明】
【図１】二酸化チタンをコーティングしたヘマタイト母材の球状体の断面図。
【図２】二酸化チタンをコーティングしたヘマタイト母材の楕円体の断面図。
【図３】二酸化チタンをコーティングしたヘマタイト母材の球状体を連結して製品化したネックレス。
【符号の説明】
【図１】
１  母材ヘマタイト
２  二酸化チタン
３  留め金具
【手続補正２】
【補正対象書類名】実用新案登録請求の範囲
【補正対象項目名】全文
【補正方法】変更
【補正の内容】
【実用新案登録請求の範囲】
【請求項１】
ヘマタイト又はステンレスの表面に二酸化チタンをコーティングしたアクセサリー。
【手続補正３】
【補正対象書類名】図面
【補正対象項目名】全図
【補正方法】変更
【補正の内容】
【図１】
0003116965.tif 000006
【図２】
0003116965.tif 000007
【図３】
0003116965.tif 000008